(57)【要約】本願開示の無針注射器は、注射目的物質が収容される収容空間を有する収容部を備える。そして、収容部は、収容空間を内部に有する収容部本体と、収容部の先端側で該収容部の軸方向に突出し、射出口が形成される先端面を有する突起部であって、該突起部の外径は、収容部本体の外径より細く、該収容部の軸方向の断面において該先端面の少なくとも一部は第１直線で画定され且つ該突起部の側面の少なくとも一部は第２直線で画定されるとともに、該第１直線と該第２直線の交点により該先端面の外周縁が表される、突起部と、突起部と収容部本体とを繋ぐ接続部であって、該接続部の外表面は、収容部の中心軸に対して傾斜し、且つ該突起部の端部から該収容部本体の端部まで連続した、環状の傾斜面を形成する、接続部と、を有する。この構成により、射出口と対象領域との好適な接触状態を形成するとともに無針注射器の操作性を高く保つことができる。
2020138476.tif 000002
【特許請求の範囲】
【請求項１】
注射針を介することなく注射目的物質を対象領域に射出する無針注射器であって、
前記注射目的物質が収容される収容空間を有するとともに該注射目的物質が前記対象領域に対して射出口から射出されるように流路を画定する収容部と、
前記注射目的物質を射出するための射出エネルギーを付与する駆動部と、
前記射出エネルギーが付与されることで、前記収容空間に収容されている前記注射目的物質を加圧する加圧部と、
前記無針注射器が形成さるように、前記収容部、前記駆動部、及び前記加圧部が取り付けられる注射器筐体と、
を備え、
前記収容部は、
前記収容空間を内部に有する収容部本体と、
前記収容部の先端側で該収容部の軸方向に突出し、前記射出口が形成される先端面を有する突起部であって、該突起部の外径は、前記収容部本体の外径より細く、該収容部の軸方向の断面において該先端面の少なくとも一部は第１直線で画定され且つ該突起部の側面の少なくとも一部は第２直線で画定されるとともに、該第１直線と該第２直線の交点により該先端面の外周縁が表される、突起部と、
前記突起部と前記収容部本体とを繋ぐ接続部であって、該接続部の外表面は、前記収容部の中心軸に対して傾斜し、且つ該突起部の端部から該収容部本体の端部まで連続した、環状の傾斜面を形成する、接続部と、
を有し、
前記流路は、前記突起部と前記接続部の内部に、前記射出口と前記収容空間とを連通するように形成され、
前記収容部が前記注射器筐体に取り付けられた状態で、前記突起部の前記先端面及び前記側面と、前記接続部の前記傾斜面とは、該注射器筐体の外部に露出した状態となる、
無針注射器。
【請求項２】
前記収容部の軸方向の断面において前記第１直線と前記第２直線のなす角度は、略９０度である、
請求項１に記載の無針注射器。
【請求項３】
前記収容部は、前記先端面が前記対象領域に接触した状態において、該先端面との接触部位の周囲の、該対象領域の一部が前記傾斜面にも接触可能となるように形成される、
請求項１又は請求項２に記載の無針注射器。
【請求項４】
前記収容部の軸方向の断面において前記傾斜面は第３直線で画定される、
請求項１から請求項３の何れか１項に記載の無針注射器。
【発明の詳細な説明】
【技術分野】
【０００１】
本願開示は、注射針を介することなく注射目的物質を対象領域に射出する無針注射器に関する。
【背景技術】
【０００２】
生体等の対象領域に薬液等を射出する装置として注射針を有しない無針注射器が例示できるが、近年、取り扱いの容易さや衛生面等からも着目されその開発が行われている。一般に、無針注射器では、圧縮ガスやバネ等の駆動源により加圧された薬液を対象領域に向かって射出し、その薬液が有する運動エネルギーを利用して対象領域の内部に薬液が射出される構成が実用化されている。【０００３】
ここで、無針注射器では注射目的物質を加圧し射出エネルギーを付与することで、注射目的物質を対象領域に投与する構成が採用される。そのため、注射目的物質の射出に際して無針注射器の射出口を対象領域に対して適切に配置し、好ましくは当該射出口が対象領域の表面に接触した状態に置かれる。例えば、特許文献１に示す無針注射器では、注射器本体の先端側にホルダが配置され、そのホルダによって注射目的物質が流れる流路及び射出口を画定するノズルが保持されている。そして、ノズルの先端面とホルダの先端面は、面一でもよく、又は何れか一方が先端側に飛び出した状態とされてもよい。また、特許文献２に示す無針注射器では、先端側に流路を画定する射出ユニットがハウジング内部に装填されることで当該無針注射器が構成される。そして、無針注射器が構成された状態では、射出口が形成されている射出ユニットの先端面は、ハウジングの先端面よりやや飛び出した状態となっている。
【先行技術文献】
【特許文献】
【０００４】
【特許文献１】特開２０１２−１６１４３１号公報
【特許文献２】特開２０１３−１４６４５２号公報
【発明の概要】
【発明が解決しようとする課題】
【０００５】
無針注射器は、射出エネルギーが付与された注射目的物質を射出口から対象領域に対して射出することで、その注射目的物質の投与を可能とする。そのため注射実行時において、射出口と対象領域との接触状態は、無針注射器の投与性能に大きな影響を及ぼす。すなわち、射出口が形成される無針注射器の先端側の構成は、無針注射器の投与性能を左右し得る重要な構成と言うことができる。従来技術に示す無針注射器では、射出口と繋がり射出エネルギーが付与された注射目的物質が流れる流路が形成されるノズルや射出ユニット等の部材がホルダやハウジング等の筐体に収容され、且つ、射出口が形成されている当該部材の先端面だけが露出する構成が採用されている。【０００６】
このように筐体に当該部材を収容する形態の従来技術においては、筐体が対象領域と干渉しやすくなり、無針注射器の操作性を阻害するおそれがある。上述したように、無針注射器の投与性能を高めるためには、射出口が形成されている部材の先端面と対象領域の表面とを好適に接触させることが求められるが、対象領域が、生体等のように外部からの押圧力に対して変形しやすい場合には、上述した筐体が対象領域と干渉しやすくなる。また、注射目的物質を対象領域内に好適に投与するためには、射出時に生じる衝撃や振動等に対して無針注射器を適切に対象領域に対して固定する必要があるため、固定のための押圧力により、上述した筐体と対象領域の干渉が生じやすい。【０００７】
そこで、本願開示は、上記した問題に鑑み、射出口と対象領域との好適な接触状態を形成するとともに無針注射器の操作性を高く保ち得る技術を提供することを目的とする。
【課題を解決するための手段】
【０００８】
上記課題を解決するために、本願開示の無針注射器では、注射目的物質が収容される収容空間を有するとともに射出口を含む流路を画定する収容部の先端側が、無針注射器の筐体から露出し、且つ収容部の先端側を、射出口と対象領域との好適な接触状態の形成が可能となる形状とした。【０００９】
具体的には、本願開示は、注射針を介することなく注射目的物質を対象領域に射出する無針注射器であって、前記注射目的物質が収容される収容空間を有するとともに該注射目的物質が前記対象領域に対して射出口から射出されるように流路を画定する収容部と、前記注射目的物質を射出するための射出エネルギーを付与する駆動部と、前記射出エネルギーが付与されることで、前記収容空間に収容されている前記注射目的物質を加圧する加圧部と、前記無針注射器が形成さるように、前記収容部、前記駆動部、及び前記加圧部が取り付けられる注射器筐体と、を備える。そして、前記収容部は、前記収容空間を内部に有する収容部本体と、前記収容部の先端側で該収容部の軸方向に突出し、前記射出口が形成される先端面を有する突起部であって、該突起部の外径は、前記収容部本体の外径より細く、該収容部の軸方向の断面において該先端面の少なくとも一部は第１直線で画定され且つ該突起部の側面の少なくとも一部は第２直線で画定されるとともに、該第１直線と該第２直線の交点により該先端面の外周縁が表される、突起部と、前記突起部と前記収容部本体とを繋ぐ接続部であって、該接続部の外表面は、前記収容部の中心軸に対して傾斜し、且つ該突起部の端部から該収容部本体の端部まで連続した、環状の傾斜面を形成する、接続部と、を有し、前記流路は、前記突起部と前記接続部の内部に、前記射出口と前記収容空間とを連通するように形成され、前記収容部が前記注射器筐体に取り付けられた状態で、前記突起部の前記先端面及び前記側面と、前記接続部の前記傾斜面とは、該注射器筐体の外部に露出した状態となる。【００１０】
上記の無針注射器において、注射目的物質を対象領域に対して射出するために、駆動部が射出エネルギーの付与を行う。本願における「射出」は、駆動部による射出エネルギーを利用して加圧部により収容部内の注射目的物質が加圧されることで、その注射目的物質が収容部の流路を流れることで実現される。【００１１】
ここで、無針注射器で射出される注射目的物質としては、対象領域内で効能が期待される成分や対象領域内で所定の機能の発揮が期待される成分を含む所定物質が例示できる。そのため、少なくとも上記の射出エネルギーによる射出が可能であれば、注射目的物質の物理的形態は問わない。例えば、注射目的物質が液体内に溶解した状態で存在してもよく、又は液体に溶解せずに単に混合された状態であってもよい。一例を挙げれば、送りこむべき所定物質として、抗体増強のためのワクチン、美容のためのタンパク質、毛髪再生用の培養細胞等があり、これらが射出可能となるように、液体の媒体に含まれることで注射目的物質が形成される。なお、上記媒体としては、対象領域内部に注入された状態において所定物質の上記効能や機能を阻害するものでない媒体が好ましい。別法として、上記媒体は、対象領域内部に注入された状態において、所定物質とともに作用することで上記効能や機能が発揮される媒体であってもよい。【００１２】
また、無針注射器から注射目的物質を対象領域に向けて射出し、その内部に送り込むためには、対象領域の表面を射出された注射目的物質で貫通する必要がある。そのため、射出初期では注射目的物質を比較的高速に対象領域に向けて射出する必要がある。この点を考慮すると、一例として、駆動部は、点火薬の燃焼により放出される燃焼生成物を利用して射出エネルギーを付与するのが好ましい。なお、前記点火薬として、ジルコニウムと過塩素酸カリウムを含む火薬、水素化チタンと過塩素酸カリウムを含む火薬、チタンと過塩素酸カリウムを含む火薬、アルミニウムと過塩素酸カリウムを含む火薬、アルミニウムと酸化ビスマスを含む火薬、アルミニウムと酸化モリブデンを含む火薬、アルミニウムと酸化銅を含む火薬、アルミニウムと酸化鉄を含む火薬のうち何れか一つの火薬、又はこれらのうち複数の組み合わせからなる火薬の何れかを採用できる。上記点火薬の特徴としては、その燃焼生成物が高温状態では気体であっても常温では気体成分を含まないため、点火後燃焼生成物が直ちに凝縮を行う結果、駆動部は、極めて短期間に射出エネルギーの付与を行うことができる。また、駆動部は、点火薬の燃焼による射出エネルギーに代えて、圧電素子等の電気的エネルギーやばね等の機械的エネルギーを射出エネルギーとして利用してもよく、これらの形態のエネルギーを適宜組み合わせることで射出エネルギーを生成するようにしてもよい。【００１３】
ここで、上記無針注射器が有する収容部は、収容部本体と、突起部と、接続部を有する。そして、突起部の先端側の端面である先端面に射出口が形成されており、上記流路は、この射出口と収容部本体内の収容空間とを連通する。ここで、突起部に関して、収容部の軸方向の断面において先端面の少なくとも一部は第１直線で画定され且つ突起部の側面の少なくとも一部は第２直線で画定されるとともに、該第１直線と該第２直線の交点により該先端面の外周縁が表される。このことは、突起部の側面と先端面が、上記の断面において第１直線と第２直線とで交わるように、突起部の外表面が形成されることを意味する。そして、幾何学的には、平行でない２つの直線が交わる場合、その交点の近傍である領域に相当する先端面の外周縁は角部を形成することになる。そのため、先端面の外周縁は、面取り（いわゆるＲ面取りやＣ面取り）の処理が為されずに角が立った状態とされる。このように突起部を形成することで、対象領域に射出口を接触させたときに、対象領域に対して収容部を含む無針注射器を適切に固定することができ、場合によっては、固定のための対象領域に対する押圧力を軽減させることができる。【００１４】
また、突起部の外径は収容部本体の外径よりも細く、そして、収容部は、突起部の端部と収容部本体の端部とを繋ぐ、連続した傾斜面を有する接続部を有している。このように突起部を形成することで、突起部の先端面から対象領域に押圧力を効果的に伝え、その先端面と対象領域との接触状態を好適なものとできる。そして、連続した傾斜面が存在することで、押圧力により変形した対象領域がいたずらに収容部に接触することを回避でき、無針注射器と対象領域との過度な干渉を避けることができる。なお、このことは、収容部の先端面が対象領域に対して接触状態となったときに、無針注射器と対象領域とが接触することを除外するものではない。また、傾斜面が設けられることで、無針注射器を使用するユーザの視線が、注射器の先端側、すなわち射出口が形成されている収容部の先端面に届きやすいため、無針注射器の操作性を高めることができる。【００１５】
このように収容部の先端側が形成され、そして、収容部が注射器筐体に取り付けられた状態で、突起部に関してその先端面及び側面と、接続部の傾斜面とは、注射器筐体の外部に露出した状態となる。すなわち、無針注射器の使用に際して、対象領域に対して近傍に位置する突起部の先端側に、上述した先端面、側面、傾斜面が配置されることになる。この結果、無針注射器の使用に際して、対象領域と無針注射器との過度な干渉を避けることができ、収容部の先端面が対象領域に接触されたときにその接触状態を安定して維持することができる。これにより、無針注射器の操作性が高められるとともに、対象領域内への好適な注射目的物質の投与が実現され得る。【００１６】
ここで、上記の無針注射器において、一例として、前記収容部の軸方向の断面において前記第１直線と前記第２直線のなす角度は、略９０度であってもよい。すなわち、収容部の先端面の外周縁に形成される角部の角度が略９０度とされることで、収容部の先端面と対象領域との接触状態の安定維持が図られる。なお、収容部が作成可能な範囲において、当該角度は９０度以外の角度であっても構わない。【００１７】
また、上述までの無針注射器において、前記収容部は、前記先端面が前記対象領域に接触した状態において、該先端面との接触部位の周囲の、該対象領域の一部が前記傾斜面にも接触可能となるように形成されてもよい。上記の通り傾斜面が形成されることで、対象領域との過度な接触を回避できる一方で、対象領域と傾斜面が適切に接触すれば、先端面だけではなく傾斜面も利用して、対象領域に対して無針注射器を支持させることができる。このことは、無針注射器の安定した固定につながり、その投与性能を高めることが期待される。【００１８】
また、上述までの無針注射器において、前記収容部の軸方向の断面において前記傾斜面は第３直線で画定されてもよい。すなわち、傾斜面は、突起部の端部と収容部本体の端部とを真っ直ぐに繋ぐ面であるから、傾斜面そのものが、突起部の先端面と対象領域との接触を阻害しにくくなる。このことも、無針注射器の安定した固定につながり、その投与性能を高めることが期待される。
【発明の効果】
【００１９】
射出口と対象領域との好適な接触状態を形成するとともに無針注射器の操作性を高く保つことができる。
【図面の簡単な説明】
【００２０】
【図１】無針注射器の概略構成を示す図である。
【図２】無針注射器の第１の断面図である。
【図３】無針注射器の第２の断面図である。
【図４】無針注射器のハウジングの構成を示す図である。
【図５】無針注射器に組み込まれる注射器アセンブリの概略構成を示す図である。
【図６】無針注射器に組み込まれるアクチュエータの概略構成を示す図である。
【図７】無針注射器に組み込まれるピストンの概略構成を示す図である。
【図８】無針注射器に組み込まれるアタッチメントの概略構成を示す図である。
【図９】無針注射器に組み込まれるプランジャロッド及びプランジャの概略構成を示す図である。
【図１０】無針注射器に組み込まれるコンテナの概略構成を示す図である。
【図１１】図１０に示すコンテナの先端側の拡大図である。
【発明を実施するための形態】
【００２１】
以下に、図面を参照して本願開示の実施形態に係る無針注射器（以下、単に「注射器」と称する）１について説明する。当該注射器１は、火薬の燃焼エネルギーを利用して、本願の注射目的物質に相当する射出液を対象領域に射出する無針注射器、すなわち、注射針を介することなく、射出液を対象領域に射出して注射を行う装置である。
【００２２】
なお、各実施形態における各構成及びそれらの組み合わせ等は、一例であって、本願開示の主旨から逸脱しない範囲内で、適宜、構成の付加、省略、置換、及びその他の変更が可能である。本願開示は、実施形態によって限定されることはなく、請求の範囲によってのみ限定される。本実施形態では、注射器１においてその長手方向における相対的な位置関係を表す用語として、「先端側」及び「基端側」を用いる。当該「先端側」は、後述する注射器１の先端寄り、すなわち射出口７７寄りの位置を表し、当該「基端側」は、注射器１の長手方向において「先端側」とは反対側の方向、すなわち注射器アセンブリ１０（後述の図５を参照のこと）における点火器２２側の方向を表している。
【００２３】
＜注射器１の構成＞
ここで、図１は、注射器１の外観を概的に示す図である。図２は注射器１の第１の断面図であり、その断面は、後述の図４におけるＡＡ断面である。また、図３は注射器１の第２の断面図であり、その断面は、後述の図４におけるＢＢ断面であり、ＢＢ断面はＡＡ断面に直交する。なお、図４は注射器１を構成するハウジング２の構成を示す図であることに留意する。ここで、注射器１は、ハウジング２（注射器筐体）に注射器アセンブリ１０が取り付けられて形成される。また、ハウジング２には、注射器アセンブリ１０内の点火器２２に駆動電流を供給するための電源ケーブル３が接続される。
【００２４】
なお、本願の以降の記載においては、注射器１により対象領域に射出される射出液は、当該対象領域で期待される効能や機能を発揮する所定物質が液体の媒体に含有されることで形成されている。その射出液において、所定物質は媒体である液体に溶解した状態となっていてもよく、また、溶解されずに単に混合された状態となっていてもよい。
【００２５】
射出液に含まれる所定物質としては、例えば生体である対象領域に対して射出可能な生体由来物質や所望の生理活性を発する物質が例示でき、例えば、生体由来物質としては、ＤＮＡ、ＲＮＡ、核酸、抗体、細胞等が挙げられ、生理活性を発する物質としては、低分子や、蛋白、ペプチド等からなる医薬、ワクチン、温熱療法や放射線療法のための金属粒子等の無機物質、キャリアとなる担体を含む各種の薬理・治療効果を有する物質等が挙げられる。また、射出液の媒体である液体としては、これらの所定物質を対象領域内に投与するために好適な物質であればよく、水性、油性の如何は問われない。また、所定物質を注射器１にて射出可能であれば、媒体である液体の粘性についても特段に限定されるものではない。
【００２６】
注射器１において、注射器アセンブリ１０は、ハウジング２に対して脱着自在となるように構成されている。注射器アセンブリ１０に含まれるコンテナ７０とプランジャ８０との間に形成される収容空間７５（図５を参照）には、注射器１の作動前である準備段階において射出液が充填され、そして、当該注射器アセンブリ１０は、射出液の射出を行う度に交換されるユニットである。注射器アセンブリ１０の詳細については、後述する。
【００２７】
一方で、ハウジング２は、注射器１のユーザがその使用のために把持するグリップ部２ａが形成されるとともに、射出液の射出を実現するために注射器１を操作する複数のスイッチが設けられている。なお、注射器１は、ユーザが片手で把持し、その操作が可能となるように構成されている。そこで、図４に基づいてハウジング２について説明する。図４において、（ａ）はハウジング２を前方から見た場合の外観を表しており、（ｂ）はハウジング２を側方から見た場合の外観を表しており、（ｃ）はハウジング２を後方から見た場合の外観を表しており、（ｄ）はハウジング２を上方から見た場合の外観を表している。ここで、「前方」とは、ユーザがハウジング２を把持したときにユーザの遠位に位置する部位であり図４（ｂ）において左側に位置し、「後方」とは、逆にユーザの近位に位置する部位であり図４（ｂ）において右側に位置する。図４（ｂ）に示す「前方」、「後方」は、それぞれ図１に示す「前方」、「後方」と一致する。したがって、ユーザがハウジング２を片手で把持したとき、その指先は遠位側であるハウジング２の前方に掛かり、その手首は近位側であるハウジング２の後方に近接した状態となる。また、「上方」とは、注射器１の基端側の部位である。
【００２８】
このようなユーザによる把持を考慮して、ハウジング２の前方寄りにはユーザの指先が掛かりやすくなるようにグリップ部２ａが設けられている。グリップ部２ａには複数のディンプルが形成され、ユーザの指先の掛かりを改善している。また、更にユーザによるハウジング２の把持を安定させるために、グリップ部２ａの前方側の外郭は緩やかに凹凸が形成され（図４（ｂ）を参照）、ユーザの人差し指や中指が掛かりやすくなっている。
【００２９】
更に、ハウジング２には、注射器１を操作するための２つの操作スイッチである第１スイッチ５と第２スイッチ６が設けられている。第１スイッチ５及び第２スイッチ６は、マイコンで形成される図示しない制御部に接続され、制御部は、各スイッチから送られた信号に基づいて点火器２２への着火電流の供給を制御し、以て注射器１の動作制御を行う。ここで、第１スイッチ５は、ハウジング２の後方側の側面にある第１領域Ｒ１に設けられたスライド式のスイッチであり、そのスライド方向はハウジング２の上下方向（先端と基端を結ぶ方向であり、図４（ｃ）の白抜き矢印で示す方向である）である。第１領域Ｒ１は、ユーザが片手でハウジング２を把持しようとしたときに、ユーザの掌（親指付け根の近傍の部位）で覆われる領域である。したがって、ユーザがハウジング２を把持するときには、その掌が第１スイッチ５を上方から覆うように接触する形となる。このときの掌の接触方向、すなわち第１スイッチ５に対して掌が接近する方向（図１において白抜きの矢印で示す方向）は、スライド式の第１スイッチの操作方向であるスライド方向（注射器１の先端側に向かう方向）とは異なる方向である。なお、ユーザが第１スイッチ５をスライド操作する際には、ユーザはハウジング２に一部の指（例えば、人差し指や中指）を掛けながら他の指（例えば、親指）が第１スイッチ５にアクセス可能な程度に、掌の一部を一時的に第１領域Ｒ１から離した状態で、その他の指により第１スイッチ５をスライド操作することができる。
【００３０】
そして、第１スイッチ５は常時上方向に付勢されており、ユーザは、第１スイッチ５をその付勢力に抗して所定時間下方（先端側）にスライドさせ続けると、制御部はその第１スイッチ５のスライド状態を検知して、注射器１をスタンバイ状態に至らしめることができる。当該スタンバイ状態とは、注射器１において射出液を射出する準備が完了した状態であり、更にユーザによる追加の操作（後述の第２スイッチ６の操作）が行われれば射出が実行される状態である。このように構成される第１スイッチ５は、注射器１をスタンバイ状態に至らしめるための操作スイッチであり、ユーザによる把持時にユーザの掌の接触方向をその操作方向と異ならしめることで、ユーザがハウジング２を把持している際に第１スイッチ５に対して意図しないスライド操作が付与されることを好適に回避することができる。
【００３１】
続いて第２スイッチ６は、ハウジング２の上側の傾斜面２ｂを含む第２領域Ｒ２に設けられた押下式のスイッチであり、ユーザは第２スイッチ６をハウジング２の内部方向に押下可能である。第２領域Ｒ２は、ユーザがハウジング２を把持している際には、ユーザの掌で覆われず露出する領域である。そして、第２スイッチ６の上側表面は、第２領域Ｒ２における傾斜面２ｂとともに、ユーザ側に傾いて形成されている。なお、別法として、ハウジング２の上側表面は傾斜せずに第２スイッチ６の上側表面が傾斜面を形成してもよい。このように少なくとも第２スイッチ６の上側表面が傾斜面を形成すると、ハウジング２を片手で把持しているユーザが、第２スイッチ６の押下部位となり得る、その上側表面を視認しやすくなるとともに、第２スイッチ６の押下操作を自然な把持状態で行える。このように第２スイッチ６の上側表面がユーザにより視認しやすく、自然な把持状態で第２スイッチ６の押下が行えることは、第２スイッチの存在をユーザに明確に把握させ注射器１を誤操作することなく安定して作動させ、再現性の良い投与に繋がる。
【００３２】
そして、上記の通り、注射器１が上記の第１スイッチ５の操作によりスタンバイ状態に置かれている状態で、第２スイッチ６の押下操作が行われることで、制御部により、点火器２２に対して着火電流が供給される。これにより、注射器１による射出液の射出が行われる。このことを考慮すると、第２スイッチ６は、注射器１において射出液の射出を決定する操作スイッチということもできる。そうすると、上記のように第２スイッチ６の上側表面をユーザに視認しやすくするように傾斜面で形成する構成は、安定した注射器１の操作の観点から極めて有用な構成と言える。
【００３３】
更に、ハウジング２の上側表面のうち傾斜面２ｂの前方には、電源ケーブル３が接続されるコネクタ４が設けられている。本実施形態では、コネクタ４はＵＳＢコネクタであり、電源ケーブル３はハウジング２に対して着脱可能とされている。また、別法として、電源ケーブル３は、ハウジング２に対して着脱不可能とされるケーブルであってもよい。また、本実施形態は点火器２２を作動させるための電力は電源ケーブル３を介して外部から供給されるが、その態様に代えて、ハウジング２の内部に、当該電力供給のためのバッテリが設けられてもよい。この場合、当該バッテリに電力が残っている限りにおいて、注射器アセンブリ１０を交換しながらハウジング２は繰り返し使用することができる。そして、バッテリの電力が無くなった場合には、そのバッテリを交換すればよい。
【００３４】
ここで、注射器アセンブリ１０の概略構成を図５に示す。注射器アセンブリ１０は、図２及び図３に示すように、ハウジング２に対して取り付けられることで注射器１を形成するものであり、具体的には、注射器アセンブリ１０は、アクチュエータ２０、アタッチメント３０、コンテナ７０、プランジャ８０を含む組立体である。注射器アセンブリ１０の組立については、後述する。
【００３５】
先ず、アクチュエータ２０について図６に基づいて説明する。アクチュエータ２０は、そのボディ２１が筒状に形成されている。ボディ２１は、その中央に中央部２１ａを有し、その先端側に先端部２１ｂを有し、その基端側に基端部２１ｃを有している。ボディ２１において、先端部２１ｂ、中央部２１ａ、基端部２１ｃは、それぞれの内部空間が連通しており、更に、先端部２１ｂの先端側において開口部２７が設けられている。ここで、ボディ２１の基端部２１ｃには、点火薬２２ａを燃焼させて射出のためのエネルギーを発生させる電気式点火器である点火器２２がキャップ２３を介して取り付けられている。点火器２２は外部から着火電流が供給される点火ピン２２ｂを有し、この点火ピン２２ｂは、ハウジング２に注射器アセンブリ１０が取り付けられた状態においてハウジング２側のソケット７と結合される。また、点火器２２が作動することで生成される燃焼生成物が、ボディ２１の中央部２１ａ側に放出されるようにボディ２１に対する点火器２２の取付状態が決定されている。すなわち、燃焼生成物の放出面２２ｃが中央部２１ａ側に向くように、点火器２２はボディ２１の基端部２１ｃに取り付けられている。
【００３６】
ここで、点火器２２において用いられる点火薬の燃焼エネルギーは、注射器１が射出液を対象領域に射出するためのエネルギーとなる。なお、当該点火薬としては、好ましくは、ジルコニウムと過塩素酸カリウムを含む火薬（ＺＰＰ）、水素化チタンと過塩素酸カリウムを含む火薬（ＴＨＰＰ）、チタンと過塩素酸カリウムを含む火薬（ＴｉＰＰ）、アルミニウムと過塩素酸カリウムを含む火薬（ＡＰＰ）、アルミニウムと酸化ビスマスを含む火薬（ＡＢＯ）、アルミニウムと酸化モリブデンを含む火薬（ＡＭＯ）、アルミニウムと酸化銅を含む火薬（ＡＣＯ）、アルミニウムと酸化鉄を含む火薬（ＡＦＯ）、もしくはこれらの火薬のうちの複数の組合せからなる火薬が挙げられる。これらの火薬は、点火直後の燃焼時には高温高圧のプラズマを発生させるが、常温となり燃焼生成物が凝縮すると気体成分を含まないために発生圧力が急激に低下する特性を示す。適切な射出液の射出が可能な限りにおいて、これら以外の火薬を点火薬として用いても構わない。
【００３７】
ここで、点火器２２から燃焼生成物が放出される、ボディ２１の中央部２１ａの内部空間は燃焼室２０ａとされる。更に、中央部２１ａの外表面の一部には雄ネジ部２６が形成されている。雄ネジ部２６は後述するアタッチメント３０の雌ネジ部３２と螺合するように構成され、両者の間に必要な結合力を確保できるように雄ネジ部２６と雌ネジ部３２の有効長が決定される。そして、中央部２１ａに隣接する先端部２１ｂの内部空間は円筒状に形成され、そこをピストン４０がスライド可能となるようにシール部材であるＯリング２５とともに配置されている。ピストン４０は金属製であり、図７に示すように軸部材４１を有し、その基端側に第１フランジ４２が設けられ、第１フランジ４２の近傍に更に第２フランジ４３が設けられている。第１フランジ４２と第２フランジ４３は円盤形状を有し、その直径は同一である。第１フランジ４２と第２フランジ４３との間、及び第２フランジ４３の更に横にＯリング２５が配置されることになる。また、軸部材４１の先端面には、所定の大きさを有する凹部４４が形成されている。アクチュエータ２０の作動前においてピストン４０が先端部２１ｂの内部空間に配置されている状態では、点火器２２からの燃焼生成物による受圧面となる第１フランジ４２が燃焼室２０ａ側に露出した状態となるとともに、ピストン４０の軸部材４１の先端は開口部２７に挿入された状態となっている。
【００３８】
そして、点火器２２が作動して燃焼生成物が燃焼室２０ａに放出され、そこの圧力が上昇すると第１フランジ４２が当該圧力を受けピストン４０が先端側にスライドしていくことになる。すなわち、アクチュエータ２０は、点火器２２を作動源としピストン４０を出力部とする機構を有している。そして、第２フランジ４３の直径は、開口部２７の直径より大きいため、ピストン４０のスライド量は制限され、以て、ピストン４０の軸部材４１がボディ２１の先端部２１ｂの先端面から突出する量も限られた量となる。また、ピストン４０は樹脂製でもよく、その場合、耐熱性や耐圧性が要求される部分は金属を併用してもよい。
【００３９】
また、ピストン４０に掛かる圧力を調整するための別法として、アクチュエータ２０の燃焼室２０ａに、点火器２２からの燃焼生成物によって燃焼しガスを発生させるガス発生剤を更に配置してもよい。その配置場所は、点火器２２からの燃焼生成物に晒され得る場所である。また、別法としてガス発生剤を、国際公開公報０１−０３１２８２号や特開２００３−２５９５０号公報等に開示されているように、点火器２２内に配置してもよい。ガス発生剤の一例としては、ニトロセルロース９８質量％、ジフェニルアミン０．８質量％、硫酸カリウム１．２質量％からなるシングルベース無煙火薬が挙げられる。また、エアバッグ用ガス発生器やシートベルトプリテンショナ用ガス発生器に使用されている各種ガス発生剤を用いることも可能である。燃焼室２０ａ等に配置されるときのガス発生剤の寸法や大きさ、形状、特に表面形状を調整することで、該ガス発生剤の燃焼完了時間を変化させることが可能であり、これによりピストン４０に掛かる圧力を所望の圧力となるように調整することができる。
【００４０】
次に、図８に基づいてアタッチメント３０について説明する。なお、図８の左図（ａ）はアタッチメント３０の断面図であり、右図（ｂ）はアタッチメント３０の外観図である。アタッチメント３０は、図５に示すようにアクチュエータ２０、プランジャ８０、コンテナ７０を取り付けるための部品である。アタッチメント３０のボディ３１には、例えば、公知のナイロン６−１２、ポリアリレート、ポリブチレンテレフタレート、ポリフェニレンサルファイド又は液晶ポリマー等が使用できる。また、これら樹脂にガラス繊維やガラスフィラー等の充填物を含ませてもよく、ポリブチレンテレフタレートにおいては２０〜８０質量％のガラス繊維を、ポリフェニレンサルファイドにおいては２０〜８０質量％のガラス繊維を、また液晶ポリマーにおいては２０〜８０質量％のミネラルを含ませることができる。
【００４１】
ボディ３１の内部空間のうち基端側から中央にかけての第１領域３３は、図５に示すようにアクチュエータ２０が配置される領域である。そして、第１領域３３の基端側の領域３３ａには、概ねアクチュエータ２０の基端部２１ｃが位置し、第１領域３３の先端側であって領域３３ａより直径が小さい領域３３ｂには、概ねアクチュエータ２０の中央部２１ａ及び先端部２１ｂが位置する。また、領域３３ｂのうち領域３３ａに近い部位の内壁面には雌ネジ部３２が配置され、雌ネジ部３２は上記の通りアクチュエータ２０の中央部２１ａに設けられている雄ネジ部２６と螺合するように形成されている。
【００４２】
更に、ボディ３１の内部空間においては第１領域３３に連通して第２領域３４が形成される。第２領域３４は、図５に示すように概ねプランジャ８０が配置される領域であり、ボディ３１の軸方向に沿って円筒状に形成される中空領域である。第２領域３４の一方の端部は、第１領域３３の領域３３ｂに連通している。第２領域３４の直径は、領域３３ｂの直径よりも細くなって、プランジャ８０が摺動可能な直径となっている。なお、ボディ３１には、アタッチメント３０の側方の外表面から第２領域３４まで貫通している貫通孔３７が形成されている。ユーザは、この貫通孔３７を通して、注射器アセンブリ１０内のプランジャ８０の状況（例えば、注射器アセンブリ１０が作動前か作動後か等）を外部から確認することができる（図１を参照）。
【００４３】
更に、ボディ３１の内部空間においては第２領域３４に連通して第３領域３５が形成される。第３領域３５は、図５に示すように概ねコンテナ７０の一部が配置される領域であり、その一端が第２領域３４に連通するとともにその他端がアタッチメント３０の先端面に開口している。そして、第３領域３５には、コンテナ７０を取り付けるための雌ネジ部３６が形成されている。雌ネジ部３６は、後述する図１０に示すコンテナ７０の雄ネジ部７４と螺合して、アタッチメント３０とコンテナ７０との結合が実現される。
【００４４】
次に、図９に基づいてプランジャ８０について説明する。なお、図９の左図（ａ）はプランジャ８０を構成する部材の一つであるプランジャロッド５０の外観図であり、右図（ｂ）はプランジャ８０の外観図である。プランジャ８０は、ピストン４０から受けたエネルギーによって射出液を加圧する部材であり、プランジャロッド５０には、その加圧のために好適な樹脂材料、例えばアタッチメント３０と同種の樹脂材料を使用できる。ここで、プランジャロッド５０は軸部材５１を有し、その基端側の端面には突起部５４が形成されている。突起部５４は、プランジャ８０が注射器アセンブリ１０に組み込まれたときにアクチュエータ２０に含まれるピストン４０の軸部材の凹部４４に嵌まり込むことが可能となるように、その形状および大きさが画定される。また、軸部材５１の途中であって基端寄りの部位に、他の軸部材５１の直径より縮径された縮径部５２が設けられている。
【００４５】
更に、プランジャロッド５０においては、軸部材５１の先端側には、軸部材５１より直径の小さい首部５５を介して突起部５６が設けられている。突起部５６は、首部５５との接続部位近くではその直径は首部５５の直径よりも大きいが、先端側に進むほどその直径が小さくなるように錘状に形成されている。ただし、突起部５６の最大直径も軸部材５１の直径よりは小さい。首部５５及び突起部５６に対してはゴム等の弾性部材で形成されたストッパ部６０が取り付けられることで、プランジャ８０が形成される（図９（ｂ）参照）。ストッパ部６０には図示しない取付孔が形成されており、当該取付孔と、首部５５及び突起部５６とが係合することで、ストッパ部６０がプランジャロッド５０から外れにくくなっている。
【００４６】
なお、ストッパ部６０の具体的な材質としては、例えば、ブチルゴムやシリコンゴムが採用できる。更には、スチレン系エラストマー、水添スチレン系エラストマーや、これにポリエチレン、ポリプロピレン、ポリブテン、α−オレフィン共重合体等のポリオレフィンや流パラ、プロセスオイル等のオイルやタルク、キャスト、マイカ等の粉体無機物を混合したものがあげられる。さらにポリ塩化ビニル系エラストマー、オレフィン系エラストマー、ポリエステル系エラストマー、ポリアミド系エラストマー、ポリウレタン系エラストマーや天然ゴム、イソプレンゴム、クロロプレンゴム、ニトリル−ブタジエンゴム、スチレン−ブタジエンゴムのような各種ゴム材料（特に加硫処理したもの）や、それらの混合物等を、ストッパ部６０の材質として採用することもできる。また、ストッパ部６０は、後述のコンテナ７０内において摺動しながら射出液を加圧することから、ストッパ部６０とコンテナ７０の収容空間７５の内壁面７５ａとの間の摺動性を確保・調整する目的で、ストッパ部６０の表面やコンテナ７０の内壁面７５ａを各種物質によりコーティング・表面加工してもよい。そのコーティング剤としては、ＰＴＦＥ（ポリテトラフルオロエチレン）、シリコンオイル、ダイヤモンドライクカーボン、ナノダイヤモンド等が利用できる。
【００４７】
次に、図１０に基づいてコンテナ７０について説明する。なお、図１０の左図（ａ）はコンテナ７０の断面図であり、右図（ｂ）はコンテナ７０の外観図である。コンテナ７０は、プランジャ８０によって加圧される射出液を収容する部材であり、その加圧された射出液を対象領域に対して射出口から射出するための流路を画定する部材であり、収容部に相当する。その点を考慮して、コンテナ７０を形成する樹脂材料を採用でき、例えばアタッチメント３０と同種の樹脂材料を使用できる。
【００４８】
コンテナ７０は、射出液を収容可能な空間であってプランジャ８０のストッパ部６０が推進可能に形成された収容空間７５と、収容空間７５とコンテナ７０の外部に面する射出口７７とを繋ぐ流路７６を含むノズル部７１とを有する。ノズル部７１の先端側の外周は柱状に形成されている。なお、注射器アセンブリ１０においては、図５に示すようにプランジャ８０のストッパ部６０が収容空間７５内をノズル部７１方向（先端側方向）に摺動可能となるように、プランジャ８０とコンテナ７０との相対位置が決定される。そして、プランジャ８０のストッパ部６０とコンテナ７０との間に形成される空間が、射出液が封入される空間となる。ここで、コンテナ７０の流路７６は、ノズル部７１の先端面７３に開口し、射出口７７が形成されている。したがって、収容空間７５内をプランジャ８０が摺動することで、収容空間７５に収容されている射出液が加圧されて、流路７６を通って射出口７７より射出されることになる。
【００４９】
また、コンテナ７０に設けられた流路７６の内径は、収容空間７５の内径よりも細く形成されている。このような構成により、高圧に加圧された射出液が射出口７７から外部に射出されることになる。また、コンテナ７０の基端側には、コンテナ７０をアタッチメント３０に取り付けるための雄ネジ部７４が形成されている。雄ネジ部７４は、アタッチメント３０の雌ネジ部３６と螺合する。
【００５０】
なお、プランジャ８０のストッパ部６０の先端側の輪郭は、収容空間７５と流路７６とが接続する部位（収容空間７５の最奥部）近傍の内壁面７５ａの輪郭に概ね一致する形状となっている。これにより、射出液の射出時にプランジャ８０が摺動し、収容空間７５の最奥部に到達したときに、ストッパ部６０とコンテナ７０の内壁面７５ａとの間に形成される隙間を可及的に小さくでき、射出液が収容空間７５内に残り無駄となることを抑制することができる。ただし、ストッパ部６０の形状は、本実施形態の注射器１において所望の効果が得られる限りにおいて、特定の形状に限定されるものではない。
【００５１】
ここで、コンテナ７０の外側の形状について、図１１に基づいて説明する。図１１の上段（ａ）は、コンテナ７０の先端側の部分を、図１０（ａ）と同じようにコンテナ７０の軸方向の断面において拡大した図である。なお、図１１（ａ）では、断面を表すハッチングの記載は省略している。また、図１１の下段（ｂ）は、コンテナ７０をハウジング２に取り付けて注射器１が形成されている状態（図２、図３に示す状態）で、注射器１による射出液の射出を行うために、先端面７３が対象領域に押圧されて接触している状態を示している。
【００５２】
このような先端面７３と対象領域との接触状態は、射出エネルギーが付与された射出液の対象領域内での挙動、すなわち、対象領域内で射出液がどの深さまで到達し、またどのように対象領域内で拡散するか等に関して大きな影響を及ぼすものである。換言すると、先端面７３と対象領域が好適に接触した状態とならなければ、無針注射器による射出液の射出が良好に行い得ない。そこで、本実施形態のコンテナ７０は、良好な先端面７３と対照領域との接触状態を形成する観点に立って、その外側の形状が設計されており、その詳細について説明する。
【００５３】
図１１（ａ）に示すように、コンテナ７０は、プランジャ８０のストッパ部６０が推進可能な収容空間７５を内部に有する収容部本体７０ａと、コンテナ７０の最も先端側に位置し、射出口７７を含む先端面が形成されている突起部７０ｃと、収容部本体７０ａと突起部７０ｃとを接続する接続部７０ｂと、を有する。接続部７０ｂと突起部７０ｃとによって、上述のノズル部７１が形成され、上述の流路７６は、接続部７０ｂと突起部７０ｃとを通って、収容空間７５と射出口７７とを連通している。
【００５４】
ここで、収容部本体７０ａ及び突起部７０ｃは概ね柱状であり、両者の中心軸は一致するとともに、コンテナ７０の中心軸とも一致する。また、突起部７０ｃの外径は、収容部本体７０ａの外径よりも細く形成されている。そのため、接続部７０ｂの外表面７２は、突起部７０ｃから収容部本体７０ａに進んだときに拡径する傘状の表面を形成する。換言すると、接続部７０ｂの外表面は、図１１（ａ）に示す断面において、コンテナ７０の中心軸に対して傾斜した環状の傾斜面７２となる。本実施形態においては、傾斜面７２上にはコンテナ７０の先端側に突出した部分は存在しておらず、傾斜面７２は、突起部７０ｃの端部と収容部本体７０ａの端部とを連続して直線状に繋いでいる。
【００５５】
更に、図２のように注射器１が組み立てられた状態において、突起部７０ｃの先端面７３と、その側面７８と、接続部７０ｂの傾斜面７２とは、ハウジング２の外部に露出した状態となる。そして、コンテナ７０において、突起部７０ｃと接続部７０ｂが上記のように形成されることで、コンテナ７０の最先端側の突起部７０ｃは最も細く形成され、且つ、図１１（ａ）に示す傾斜面７２で収容部本体７０ａに繋がるため、傾斜面７２の先端側に注射器１を構成する部品が存在しない空間を確保することができる。その結果、ユーザが、コンテナ７０の先端面７３を対象領域に接触させようとしたときに、突起部７０ｃの位置を視認しやすくなり、以て注射器の操作性が極めて高くなる。
【００５６】
また、図１１（ｂ）に示すように、先端面７３を対象領域に接触させて注射器１を対象領域に対して押圧すると、対象領域が変形して、押圧されている部分は凹むとともに、その周囲の対象領域は盛り上がる傾向がある。このような場合、上述した空間がコンテナ７０の先端側に確保されていることで、盛り上がった対象領域を当該空間（図１１（ｂ）に示す点線Ｒ１２で囲まれた空間）に導くことができる。これにより、注射器１を構成するコンテナ７０と対象領域との過度な接触を回避させることができ、両者の干渉により先端面７３と対象領域との好適な接触状態が阻害されることを防ぐことができる。特に、対象領域に対してコンテナ７０の先端面７３が傾いて接触する場合でも、コンテナ７０と対象領域との干渉を抑制することが可能となる。
【００５７】
更に、コンテナ７０の突起部７０ｃにおいては、先端面７３と側面７８と交わって形成される先端面７３の外周縁７９は、面取り部が含まれない角部として形成される。より詳細には、図１１（ａ）の断面において先端面７３を画定する第１直線Ｌ１１と、側面７８を画定する第２直線Ｌ１２とが幾何学的に交わることで、外周縁７９を表す交点が形成される。そして、本実施形態においては、この外周縁７９には、第１直線Ｌ１１と第２直線Ｌ１２との交点以外の幾何学的要素は含まれない。すなわち、外周縁７９には、いわゆるＲ面取り部やＣ面取り部は含まれないことになり、以て角の立った外周縁７９が形成されている。一例として、第１直線Ｌ１１と第２直線Ｌ１２の交わる角度は、略９０度が挙げられる。
【００５８】
このように先端面７３の外周縁７９が形成されることで、図１１（ｂ）に示すように先端面７３を対象領域に接触させたときに、外周縁７９が対象領域に好適に食い込んだ状態となる（図１１（ｂ）に示す点線Ｒ１１で囲まれた領域を参照のこと）。このため、先端面７３と対象領域との接触状態がより気密的となり、またコンテナ７０を介して注射器１が対象領域に対して安定して固定されることにもなるため、注射器１による射出液の投与性能を高めることができる。換言すれば、外周縁７９により注射器１が好適に支持されることで、射出液の射出の際に注射器１を対象領域に対して固定するための押圧力を小さくすることができる。このことは、対象領域が押圧力により盛り上がることで生じる、コンテナ７０と対象領域との干渉を緩和させることになるため、注射器１の操作性や射出液の投与性能を向上させることに帰結し得る。
【００５９】
なお、本実施形態において、先端面７３を対象領域に接触させた状態において、押圧力によって盛り上がった対象領域の一部が、コンテナ７０の傾斜面７２と接触しても構わない。このような場合であっても、上述したように傾斜面の先端側に上記空間を確保できるため、対象領域からコンテナ７０が過大な反力を受けることを回避できる。その上で、傾斜面７２に対象領域が接触すると、その接触している対象領域が、過大ではない反力によってコンテナ７０を介して注射器１を好適に支持することができ、注射器１の安定性が高められ注射器１の投与性能を高めることができる。
【００６０】
上述までの注射器１の部品の構成を踏まえて、以下に、注射器アセンブリ１０の組立について説明する。コンテナ７０の収容空間７５にプランジャ８０のストッパ部６０を最奥部まで挿入した状態で、コンテナ７０の射出口７７を射出液と連通させてプランジャ８０を引き戻す。ストッパ部６０と収容空間７５の内壁面７５ａは好適に密に接触しているため、その引き戻し動作によって収容空間内に負圧を発生させ、射出口７７から収容空間７５内に射出液を充填することができる。このときのプランジャ８０の引き戻し量は、その状態でコンテナ７０をアタッチメント３０に取り付けたときに、コンテナ７０から飛び出しているプランジャ８０（プランジャロッド５０）が第２領域３４を経て、第１領域３３（図８に示す領域３３ｂ）まで到達する程度の引き戻し量とされる。
【００６１】
収容空間７５に射出液を充填した状態のコンテナ７０をアタッチメント３０に取り付けた後に、そのアタッチメント３０に対してアクチュエータ２０を第１領域３３側から挿入される。アクチュエータ２０は、その先端部２１ｂの先端面が、アタッチメント３０の領域３３ｂの先端面３３ｃ（図８を参照）に突き当たるまで挿入され、このときアクチュエータ２０の中央部２１ａに設けられている雄ネジ部２６が、アタッチメント３０の雌ネジ部３２と螺合することで、アクチュエータ２０とアタッチメント３０が好適に結合される。そして、このときアクチュエータ２０に組み込まれているピストン４０の軸部材４１の凹部４４が、プランジャ８０の軸部材５１の突起部５４と嵌め合った状態となり、プランジャ８０はピストン４０によって先端側に向かって押し込まれていく。なお、ピストン４０のアクチュエータ２０の先端部２１ｂ内での固定力は、点火器２２による燃焼生成物から受ける圧力によっては、ピストン４０が十分に円滑に先端部２１ｂ内を摺動できる程度であり、且つ、注射器アセンブリ１０の組み立てに際しては、ピストン４０がプランジャ８０から受ける力に対しては十分に抗し、ピストン４０の位置が変動しない程度とされる。別法として、図６に示すようにピストン４０の第１フランジ４２の頂面が、アクチュエータ２０の燃焼室２０ａに面し、且つ燃焼室２０ａ側へ変位しないように、ピストン４０が位置すべき場所にストッパを形成してもよい。
【００６２】
したがって、上記のようにコンテナ７０及びプランジャ８０が取り付けられたアタッチメント３０に対してアクチュエータ２０が取り付けられると、プランジャ８０はピストン４０から先端側に向かって進むように押し込まれ、コンテナ７０内においてプランジャ８０が所定の位置に位置決めされる。なお、このプランジャ８０の押し込みに応じて、射出液の一部が射出口７７から吐出される。
【００６３】
このようにプランジャ８０が最終位置に位置決めされると、注射器アセンブリ１０の形成が完了することになる。この注射器アセンブリ１０においては、コンテナ７０の収容空間７５におけるプランジャ８０のストッパ部６０の位置が機械的に決定される。このストッパ部６０の最終的な位置は、注射器アセンブリ１０において一義的に決定される位置であるから、注射器アセンブリ１０において最終的に収容空間７５内に収容される射出液の量、すなわち射出される射出液の量を、予め決められた所定量とすることが可能となる。
【００６４】
このように構成された注射器アセンブリ１０は、点火器２２の点火ピン２２ｂがハウジング２側のソケット７に嵌め込まれて、ハウジング２に装填されて、使用可能な注射器１が準備できる（図１〜図３を参照）。そして、使用可能状態となった注射器１に対して第１スイッチ５及び第２スイッチ６を用いた所定の操作が行われることで、射出液の対象領域への射出が実行される。
【００６５】
本明細書に開示された各々の態様は、本明細書に開示された他のいかなる特徴とも組み合わせることができる。
【符号の説明】
【００６６】
１        ：注射器
２        ：ハウジング
２ａ      ：グリップ部
５        ：第１スイッチ
６        ：第２スイッチ
１０      ：注射器アセンブリ
２０      ：アクチュエータ
２１      ：ボディ
２２      ：点火器
３０      ：アタッチメント
３１      ：ボディ
４０      ：ピストン
５０      ：プランジャロッド
５１      ：軸部材
５２      ：縮径部
６０      ：ストッパ部
７０      ：コンテナ
７０ａ      ：収容部本体
７０ｂ      ：接続部
７０ｃ      ：突起部
７１      ：ノズル部
７２      ：傾斜面
７３      ：先端面
７５      ：収容空間
７６      ：流路
７７      ：射出口
７８      ：側面
７９      ：外周縁
８０      ：プランジャ
【図１】
2020138476.tif 000003
【図２】
2020138476.tif 000004
【図３】
2020138476.tif 000005
【図４】
2020138476.tif 000006
【図５】
2020138476.tif 000007
【図６】
2020138476.tif 000008
【図７】
2020138476.tif 000009
【図８】
2020138476.tif 000010
【図９】
2020138476.tif 000011
【図１０】
2020138476.tif 000012
【図１１】
2020138476.tif 000013
【国際調査報告】
2020138476.tif 000014
2020138476.tif 000015
2020138476.tif 000016
2020138476.tif 000017